(57)【要約】【課題】生体情報測定装置と外部端末との間の適切な位置関係を分かり易く表示する技術を提供する。【解決手段】本発明は、超音波により外部の端末と通信する生体情報測定装置であって、測定情報を含む情報を外部の端末と通信する通信手段と、光を照射することにより、外部の端末の配置すべき場所に関する情報を可視化する投光手段と、を備える、生体情報測定装置である。【選択図】図１
2020156600.tif 000002
【特許請求の範囲】
【請求項１】
超音波により外部の端末と通信する生体情報測定装置であって、
測定情報を含む情報を外部の端末と通信する通信手段と、
光を照射することにより、前記外部の端末の配置すべき場所に関する情報を可視化する投光手段と、を備える、
生体情報測定装置。
【請求項２】
前記投光手段により光が照射される場所は、自装置が設置される設置面上を含む、
請求項１に記載の生体情報測定装置。
【請求項３】
前記投光手段により光が照射される期間は、前記通信手段により前記外部の端末との通信を実行する通信実行前の所定期間、又は前記通信実行される期間の少なくとも一部を、少なくとも含む、
請求項１又は２に記載の生体情報測定装置。
【請求項４】
前記投光手段は、前記設置面上に光を照射することにより測定に関する情報を可視化する、
請求項１から３のうちの何れか一項に記載の生体情報測定装置。
【請求項５】
超音波により生体情報測定装置から測定情報を受信する受信手段と、
前記生体情報測定装置により配置すべき場所に関する情報が可視化される場合、前記配置すべき場所に配置を案内する情報と、前記配置すべき場所に配置を案内する情報に従って配置される場合に前記受信手段により受信する前記測定情報と、を表示する表示手段と、を備える、
端末。
【請求項６】
請求項１から４のうちの何れか一項に記載の生体情報測定装置と、
前記生体情報測定装置から前記情報を受信する受信手段と、前記受信した情報を表示する表示手段と、を有する端末と、を備え、
前記端末の前記表示手段は、前記受信手段により前記情報を受信する前に、前記生体情報測定装置により配置すべき場所に関する情報が可視化される場合、前記配置すべき場所に配置を案内する情報を表示し、
前記配置すべき場所に配置を案内する情報には、前記端末が前記投光手段により可視化される前記場所に配置される場合に、前記端末が前記場所に配置される向きを指定する情報が含まれる、
生体情報測定システム。
【発明の詳細な説明】
【技術分野】
【０００１】
本発明は、生体情報測定装置、端末、及び生体情報測定システムに関する。
【背景技術】
【０００２】
血圧などの生体情報を測定する生体情報測定装置が開発され、普及している。また、生体情報測定装置によって測定された生体情報を近距離無線通信技術により外部の装置へ送信する技術が開示されている（例えば特許文献１）。
【先行技術文献】
【特許文献】
【０００３】
【特許文献１】特許第６４６０５６８号公報
【発明の概要】
【発明が解決しようとする課題】
【０００４】
生体情報測定装置と外部端末（例えばスマートフォン等の端末）との無線通信の媒体として、超音波等の指向性の高い手段を採用した場合、通信を確立するためには、通信を行う場合に生体情報測定装置と外部端末とが所定の位置関係になっていることが望ましいと考えられる。
【０００５】
そこで、所定の関係に関する情報をユーザに知らせる必要がある。ユーザに知らせる方法として、例えば取扱説明書等に外部端末の配置方法を記載することが考えられる。しかしながら、このような方法の場合、ユーザにとって直感的な理解が難しく、ユーザにとってわかりづらいものである。また、生体情報測定装置に外部端末を配置するための台座を設ける方法も考えられる。しかしながら、このような方法の場合、生体情報測定装置が大型化し、特に可搬型の装置にとって好ましくない。すなわち、本発明者は、従来の方法では、ユーザが外部端末を生体情報測定装置に対して適切な位置に配置せず、生体情報測定装置と外部端末との通信が確立できない虞があることを見出した。
【０００６】
本発明は、一側面では、このような実情を鑑みてなされたものであり、その目的は、生体情報測定装置と外部端末との間の適切な位置関係を分かり易く表示する技術を提供することである。
【課題を解決するための手段】
【０００７】
本発明は、上述した課題を解決するために、以下の構成を採用する。
【０００８】
すなわち本発明の一側面に係る生体情報測定装置は、超音波により外部の端末と通信する生体情報測定装置であって、測定情報を含む情報を外部の端末と通信する通信手段と、光を照射することにより、前記外部の端末の配置すべき場所に関する情報を可視化する投光手段と、を備える、生体情報測定装置である。
【０００９】
ここで、外部の端末の配置すべき場所に関する情報は、生体情報測定装置と超音波を介して好適に通信することのできる場所を含む。当該構成によれば、外部の端末の配置すべき場所に関する情報が可視化されるため、ユーザは生体情報測定装置の推奨される配置場所を容易に理解することができる。よって、ユーザは、外部端末を生体情報測定装置に対して適切な相対関係の位置に容易に置くことができる。よって、指向性が高く、到達距離の短い超音波によって生体情報測定装置と外部の端末とが通信する場合であっても、通信の確立は簡易に行われる。
【００１０】
上記一側面に係る生体情報測定装置において、前記投光手段により光が照射される場所は、自装置が設置される設置面上を含んでもよい。
【００１１】
当該構成によれば、ユーザは、外部端末を生体情報測定装置に対して適切な相対関係の位置に容易に置くことができる。
【００１２】
上記一側面に係る生体情報測定装置において、前記投光手段により光が照射される期間は、前記通信手段により前記外部の端末との通信を実行する通信実行前の所定期間、又は前記通信実行される期間の少なくとも一部を、少なくとも含んでもよい。
【００１３】
当該構成によれば、生体情報測定装置による通信が開始される場合に、外部の端末を光があてられる場所に置くことをユーザに促すことができる。よって、生体情報測定装置が、外部の端末との通信を待機する時間は節減され、待機のために消費される電力は節減される。また、ユーザは、生体情報測定装置において通信実行される期間を容易に把握できる。よって、ユーザは、外部の端末を配置するタイミングを容易に認識することができる。
【００１４】
上記一側面に係る生体情報測定装置において、前記投光手段は、前記設置面上に光を照射することにより測定に関する情報を可視化してもよい。
【００１５】
ここで、測定に関する情報は、測定情報及び測定のガイダンス情報を含む。当該構成によれば、測定に関する情報を表示する表示手段を設けない構成が可能となる。よって、生体情報測定装置の構成を簡易なものとすることができる。よって、生体情報測定装置の製造コストの削減が可能となる。
【００１６】
また、本発明の一側面に係る端末は、超音波により生体情報測定装置から測定情報を受信する受信手段と、前記生体情報測定装置により配置すべき場所に関する情報が可視化される場合、前記配置すべき場所に配置を案内する情報と、前記配置すべき場所に配置を案内する情報に従って配置される場合に前記受信手段により受信する前記測定情報と、を表示する表示手段と、を備える。
【００１７】
当該構成によれば、ユーザは、端末を生体情報測定装置に対して適切な相対関係の位置に容易に置くことができる。よって、指向性が高く、到達距離の短い超音波によって生体情報測定装置と端末とが通信する場合であっても、通信の確立は簡易に行われる。
【００１８】
上記一側面に係る生体情報測定装置と、前記生体情報測定装置から前記情報を受信する受信手段と、前記受信した情報を表示する表示手段と、を有する端末と、を備え、前記端末の前記表示手段は、前記受信手段により前記情報を受信する前に、前記生体情報測定装置により配置すべき場所に関する情報が可視化される場合、前記配置すべき場所に配置を案内する情報を表示し、前記配置すべき場所に配置を案内する情報には、前記端末が前記投光手段により可視化される前記場所に配置される場合に、前記端末が前記場所に配置される向きを指定する情報が含まれる、生体情報測定システムであってもよい。
【００１９】
当該構成によれば、端末が情報を受信する前に、ユーザは、端末を投光手段により可視化される場所に配置することに加え、超音波が届き易い向きに端末を容易に配置することができる。よって、生体情報測定装置において超音波の出力のために消費される電力は節減される。
【発明の効果】
【００２０】
本発明によれば、生体情報測定装置と外部端末との間の適切な位置関係を分かり易く表示する技術を提供することができる。
【図面の簡単な説明】
【００２１】
【図１】図１は、本実施形態に係る生体情報測定システムの概要の一例を模式的に例示する。
【図２】図２は、血圧計の機能構成の概要の一例を模式的に例示する。
【図３】図３は、スマートフォンの機能構成の概要の一例を模式的に例示する。
【図４】図４は、血圧計が実行する処理のフローチャートの一例を模式的に例示する。
【図５】図５は、スマートフォンが実行する処理のフローチャートの一例を模式的に例示する。
【図６】図６は、生体情報測定システムが実行する処理のフローチャートの一例を示している。
【図７】図７は、血圧計の概要の一例を模式的に例示する。
【発明を実施するための形態】
【００２２】
以下、本発明の一側面に係る実施の形態（以下、「本実施形態」とも表記する）を、図面に基づいて説明する。ただし、以下で説明する本実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。
【００２３】
§１  適用例
図１は、本実施形態に係る生体情報測定システム１の概要の一例を模式的に例示する。図１に示されるように、生体情報測定システム１は、生体情報の一例である血圧を測定する血圧計１０と、スマートフォン２０と、から形成される。
【００２４】
血圧計１０は、例えば机上面に向かって光を照射するＬＥＤ１１を本体の側面に備える。また、血圧計１０は、超音波を発する超音波モジュール１２を備える。そして、ＬＥＤ１１によって照射される範囲１６は、血圧計１０と超音波を介して通信する場合の、推奨されるスマートフォン２０の配置位置である。ここで、血圧計１０からの超音波による通信の場合、Ｂｌｕｅｔｏｏｔｈ（登録商標）等の双方向通信と異なり、通信が可能な状況であることを事前に知ることができないため、血圧計１０とスマートフォン２０の配置関係を適切にしておくことが通信の確立のために望ましい。
【００２５】
上記のような生体情報測定システム１によれば、ＬＥＤ１１の照射により、推奨されるスマートフォン２０の配置位置が可視化される。よって、ユーザは、スマートフォン２０を配置する場所を容易に理解することができる。よって、ユーザは、スマートフォン２０を血圧計１０に対してＬＥＤ１１によって照射される範囲の中に容易に置くことができる。よって、上記のような生体情報測定システム１のように、指向性が高く、到達距離の短い超音波によって血圧計１０とスマートフォン２０とが通信する場合であっても、通信の確立は容易に実現されうる。
【００２６】
§２  構成例
［システム構成］
図１に示されるように、生体情報測定システム１は、生体情報の一例である血圧を測定する血圧計１０と、スマートフォン２０と、から形成される。ここで、血圧計１０は、本発明の「生体情報測定装置」の一例である。また、スマートフォン２０は、本発明の「端末」の一例である。血圧計１０と、スマートフォン２０とは、例えば机上面などの同一平
面上に置かれる。
【００２７】
血圧計１０は、例えば机上面に向かって光を照射するＬＥＤ１１を本体の側面に備える。また、血圧計１０は、超音波を発する超音波モジュール１２を備える。また、血圧計１０は、正面に血圧の測定を開始させる測定ボタン１３と、測定した血圧情報を外部の装置へ通信することを開始させる通信ボタン１４と、を備える。ＬＥＤ１１によって照射される範囲１６は、血圧計１０と超音波を介して通信する場合の、推奨されるスマートフォン２０の配置位置である。ここで、ＬＥＤ１１は、本発明の「投光手段」の一例である。また、超音波モジュール１２は、本発明の「通信手段」の一例である。また、ＬＥＤ１１によって照射される範囲１６は、本発明の「外部の端末の配置すべき場所に関する情報」の一例である。また、血圧計１０は、図示しないが測定時に腕に巻かれるカフを備える。
【００２８】
一方、スマートフォン２０は、情報の表示や入力が行われるタッチパネルディスプレイ２１と、超音波を検出するマイクロフォン２２と、を備える。
【００２９】
本実施形態に係る生体情報測定システム１では、血圧計１０と、スマートフォン２０とが、超音波によって通信される。
【００３０】
［機能構成］
図２は、血圧計１０の機能構成の概要の一例を模式的に例示する。血圧計１０は、通信部１０１を備える。通信部１０１は、超音波モジュール１２を含んで形成される。通信部１０１は、超音波を介して外部の装置へ情報を送信する。また、通信部１０１は、超音波モジュール１２を外部の装置と通信可能な状態にし、当該通信可能状態において所定時間経過したか否かを判定する。
【００３１】
また、血圧計１０は、投光部１０２を備える。投光部１０２は、ＬＥＤ１１を含んで形成される。投光部１０２は、血圧計１０と超音波を介して通信する場合に、推奨される配置場所に光を照射する。投光部１０２は、ＬＥＤ１１へ流入する電流を制御することにより、ＬＥＤ１１の点灯、及び消灯を調整する。
【００３２】
また、血圧計１０は、入力判定部１０３を備える。入力判定部１０３は、測定ボタン１３及び通信ボタン１４の押下の判定を行う。
【００３３】
また、血圧計１０は、測定部１０４を備える。測定部１０４は、既知の測定手段によって血圧を測定する。
【００３４】
図３は、スマートフォン２０の機能構成の概要の一例を模式的に例示する。スマートフォン２０は、ＣＰＵ等のプロセッサ、ＲＡＭやＲＯＭ等の主記憶装置、ハードディスクドライブ、リムーバブルメディア等の補助記憶装置、入力機能及び表示機能を有するタッチパネルディスプレイ２１、超音波を検出するマイクロフォン２２を備える携帯型の端末である。ここで、スマートフォン２０は、可聴音を検出するマイクロフォンを備え、当該マイクロフォンが超音波を検出することを兼ねてもよい。補助記憶装置には、オペレーティングシステム（ＯＳ）、各種プログラム、各種テーブル等が格納され、そこに格納されたプログラムを主記憶装置の作業領域にロードして実行し、プログラムの実行を通じて各構成部等が制御されることによって、後述するような、所定の目的に合致した各機能を実現することができる。
【００３５】
スマートフォン２０は、通信部２０１を備える。通信部２０１は、マイクロフォン２２を含んで形成される。通信部２０１は、マイクロフォン２２を介して外部の装置から情報の受信の判定、及び当該情報の受信処理を行う。また、通信部２０１は、マイクロフォン
２２を外部の装置との通信を待機する状態にし、当該待機状態において所定時間経過したか否かを判定する。
【００３６】
また、スマートフォン２０は、表示部２０２を備える。表示部２０２は、タッチパネルディスプレイ２１を含んで形成される。表示部２０２は、情報をタッチパネルディスプレイ２１へ表示する。
【００３７】
また、スマートフォン２０は、入力判定部２０３を備える。入力判定部２０３は、タッチパネルディスプレイ２１を介して情報が入力されたか否かを判定する。
【００３８】
§３  動作例
（血圧計１０の処理フロー）
次に血圧計１０が実行する処理の概要を説明する。図４は、血圧計１０が実行する処理のフローチャートの一例を模式的に例示する。
【００３９】
（Ｓ１０１）
ステップＳ１０１では、入力判定部１０３が、ユーザからのボタン操作を判定する。
【００４０】
（Ｓ１０２）
ステップＳ１０２では、ボタン操作有りと判定された場合、入力判定部１０３が測定ボタン１３あるいは通信ボタン１４のいずれのボタンが押されたか否かを判定する。そして、入力判定部１０３が、測定ボタン１３が押されたと判定した場合、ステップＳ１０３へ進む。一方、入力判定部１０３が、通信ボタン１４が押されたと判定した場合、ステップＳ１０４へ進む。
【００４１】
（Ｓ１０３）
ステップＳ１０３では、測定ボタン１３が押されたと判定された場合、測定部１０４が血圧の測定を行う。
【００４２】
（Ｓ１０４）
ステップＳ１０４では、測定部１０４による血圧の測定が終了した場合、あるいは入力判定部１０３により通信ボタン１４が押されたと判定された場合、投光部１０２が、ＬＥＤ１１を点灯させる。
【００４３】
（Ｓ１０５）
ステップＳ１０５では、通信部１０１が、超音波モジュール１２を送信可能な状態とする。そして、通信部１０１が、測定データをスマートフォン２０へ向けて送信する。ここで、通信部１０１が送信する測定データは、ステップＳ１０３において測定されたデータであるが、当該測定データは、測定部１０４によって測定され、血圧計１０内に蓄積されて保存されている過去の測定履歴に関する情報を含んでもよい。
【００４４】
（Ｓ１０６）
ステップＳ１０６では、通信部１０１が、超音波モジュール１２を送信可能な状態としてから所定時間経過したか否かを判定する。そして、所定時間経過したと判定された場合、ステップＳ１０７へ進む。一方、所定時間経過していないと判定された場合、ステップＳ１０５に戻って測定データの送信の処理を再び実行する。
【００４５】
（Ｓ１０７）
ステップＳ１０７では、投光部１０２がＬＥＤ１１を消灯する。
【００４６】
（スマートフォン２０の処理フロー）
次にスマートフォン２０が実行する処理の概要を説明する。図５は、スマートフォン２０が実行する処理のフローチャートの一例を模式的に例示する。
【００４７】
（Ｓ２０１）
ステップＳ２０１では、入力判定部２０３が、タッチパネルディスプレイ２１を介したユーザからの入力操作を判定する。そして、入力操作があったと判定された場合、ステップＳ２０２へ進む。また、この場合に、表示部２０２は、血圧計１０が有するカフを巻き、測定ボタン１３を押す旨の測定ガイダンスをタッチパネルディスプレイ２１に表示してもよい。
【００４８】
（Ｓ２０２）
ステップＳ２０２では、通信部２０１が、マイクロフォン２２を起動し、血圧計１０からの通信を待機する状態にする。
【００４９】
（Ｓ２０３）
ステップＳ２０３では、表示部２０２が、タッチパネルディスプレイ２１へ血圧計１０と通信するための配置のガイダンス情報を表示する。ここで、配置のガイダンス情報は、血圧計１０のＬＥＤ１１により照射される範囲内にスマートフォン２０を置くことを案内する情報を含む。また、配置のガイダンス情報は、マイクロフォン２２の位置を指示する矢印（例えば通話用のマイクロフォンと兼用の場合は、スマートフォン２０の下部を指示する矢印）を表示し、血圧計１０が矢印の方向に来るような向きにスマートフォン２０を置くことを案内する情報を含む。
【００５０】
（Ｓ２０４）
ステップＳ２０４では、通信部２０１が、血圧計１０から測定データを受信できたか否かを判定する。そして、測定データが受信できたと判定された場合、ステップＳ２０５へ進む。一方、測定データが受信できなかったと判定された場合、ステップＳ２０６へ進む。
【００５１】
（Ｓ２０５）
ステップＳ２０５では、測定データが受信できたと判定された場合、表示部２０２が、受信データをタッチパネルディスプレイ２１へ表示する。
【００５２】
（Ｓ２０６）
ステップＳ２０６では、ステップＳ２０４において測定データが受信できなかったと判定された場合、通信部２０１が、マイクロフォン２２を受信可能状態にしてから所定時間経過したか否かの判定を行う。そして、所定時間が経過したと判定された場合、ステップＳ２０７へ進む。一方、所定時間が経過していないと判定された場合、ステップＳ２０４へ戻り、通信部２０１が測定データの受信の判定を再度行う。
【００５３】
（Ｓ２０７）
ステップＳ２０７では、表示部２０２が、血圧計１０から測定データを受信することを失敗した受信失敗の情報をタッチパネルディスプレイ２１へ表示する。
【００５４】
（生体情報測定システム１の処理フロー）
次に生体情報測定システム１が実行する処理フローを説明する。図６は、生体情報測定システム１が実行する処理のフローチャートの一例を示している。
【００５５】
（Ｓ１００１）
ステップＳ１００１では、血圧計１０の入力判定部１０３が、ユーザによってボタン操作されたと判定する。
【００５６】
（Ｓ１００２）
ステップＳ１００２では、入力判定部１０３が、測定ボタン１３が押されたと判定する。
【００５７】
（Ｓ１００３）
ステップＳ１００３では、測定部１０４が血圧の測定を行う。
【００５８】
（Ｓ１００４）
ステップＳ１００４では、測定部１０４による血圧の測定が終了した場合、投光部１０２が、ＬＥＤ１１を点灯させる。ここで、投光部１０２は、ＬＥＤ１１へ流入する電流を制御することにより、図１に示されるように血圧計１０が置かれる部分から右側の範囲１６の机上部分が照らされるようにする。ここで、血圧計１０から、ＬＥＤ１１によって照らされる範囲１６は、血圧計１０と超音波を介して通信する場合の、推奨されるスマートフォン２０の配置位置である。そして、その広さは、例えば血圧計１０から当該範囲の右端までの距離が、例えば３０ｃｍ程度であってもよい。また、血圧計１０のＬＥＤ１１が設けられる場所によっては、ＬＥＤ１１によって照らされる範囲１６は、血圧計１０を含んだ範囲であってもよい。
【００５９】
（Ｓ１００５）
ステップＳ１００５では、通信部１０１が、測定データをスマートフォン２０へ向けて送信する。
【００６０】
（Ｓ１００６）
一方で、スマートフォン２０においては、ステップＳ１００１からステップＳ１００５の処理とは独立して、ステップＳ１００６において、入力判定部２０３が、タッチパネルディスプレイ２１を介し、ユーザからの入力操作を受け付ける。入力操作は、測定データをスマートフォン２０から受信することに関する操作である。
【００６１】
（Ｓ１００７）
ステップＳ１００７では、通信部２０１が、マイクロフォン２２を起動し、血圧計１０からの通信を待機する状態にする。
【００６２】
（Ｓ１００８）
ステップＳ１００８では、表示部２０２が、タッチパネルディスプレイ２１へ血圧計１０と通信するための配置のガイダンス情報を表示する。ガイダンス情報には、例えばスマートフォン２０を血圧計１０と同一机上面の、光によって照射される所定の範囲１６に置くように指示する内容が含まれる。また、ガイダンス情報には、マイクロフォン２２の位置を指示する矢印（例えば通話用のマイクロフォンと兼用の場合は、スマートフォン２０の下部を指示する矢印）を表示し、血圧計１０が矢印の方向に来るような向きにスマートフォン２０を置くことを案内する情報が含まれる。そして、ユーザは、血圧計１０のＬＥＤ１１によって照射される机上の所定の範囲１６に、ガイダンス表示に従ってスマートフォン２０を置く。
【００６３】
（Ｓ１００９）
ステップＳ１００９では、通信部２０１が、血圧計１０から測定データを受信する。
【００６４】
（Ｓ１０１０）
ステップＳ１０１０では、表示部２０２が、受信データをタッチパネルディスプレイ２１へ表示する。
【００６５】
（Ｓ１０１１）
一方、血圧計１０では、ステップＳ１０１１において、通信部１０１が、超音波モジュール１２を送信可能な状態としてから所定時間経過したか否かを判定する。そして、所定時間経過したと判定された場合、ステップＳ１０１２へ進む。
【００６６】
（Ｓ１０１２）
ステップＳ１０１２では、投光部１０２がＬＥＤ１１を消灯する。
【００６７】
［作用・効果］
上記のような生体情報測定システム１によれば、ＬＥＤ１１の照射により、血圧計１０が設置される机上において、スマートフォン２０の推奨される配置位置が可視化される。よって、ユーザは、スマートフォン２０を配置する場所を容易に理解することができる。よって、ユーザは、スマートフォン２０を血圧計１０に対してＬＥＤ１１によって照射される範囲１６の中に容易に置くことができる。よって、上記のような生体情報測定システム１によれば、指向性が高く、到達距離の短い超音波によって血圧計１０とスマートフォン２０とが通信する場合であっても、通信の確立を容易にすることができる。
【００６８】
また、上記のような生体情報測定システム１によれば、ステップＳ１０３において血圧測定が終了した場合、あるいはステップＳ１０２において通信ボタン１４が押下されたと判定された場合といったように、血圧計１０がスマートフォン２０へ測定データの送信を開始する場合に、ステップＳ１０４においてＬＥＤ１１が点灯される。よって、血圧計１０による通信が開始される場合に、スマートフォン２０をＬＥＤ１１によって照射される範囲１６の中へ置くことをユーザに促すことができる。よって、上記のような生体情報測定システム１によれば、血圧計１０の通信部１０１が、スマートフォン２０との通信を待機する時間は節減され、待機のために消費される電力は節減される。また、上記のような生体情報測定システム１によれば、ユーザは、血圧計１０の通信部１０１が、いつ通信を行なっているかを容易に把握することができる。よって、ユーザは、スマートフォン２０を配置するタイミングを容易に認識することができる。
【００６９】
また、上記のような生体情報測定システム１によれば、ユーザは、スマートフォン２０を推奨される場所に配置することに加え、スマートフォン２０のタッチパネルディスプレイ２１に表示されるスマートフォン２０の配置の向きに関するガイダンス情報を見て、スマートフォン２０の推奨される配置向きを容易に理解することができる。また、ユーザは、血圧計１０とスマートフォン２０との通信の確立がさらに容易となるように、当該ガイダンス情報に従い、スマートフォン２０のマイクロフォン２２を血圧計１０の超音波モジュール１２へ向けるようにスマートフォン２０を机上に置くことができる。
【００７０】
§４  変形例
＜４．１＞
図７は、変形例に係る血圧計１０Ａの概要の一例を模式的に例示する。図７に示されるように、血圧計１０Ａは、ＬＥＤ１１の代わりにプロジェクタ１５を備える。そして、投光部１０２Ａは、プロジェクタ１５を含んで形成される。そして、投光部１０２Ａは、プロジェクタ１５を介して超音波で通信する場合の推奨されるスマートフォン２０の配置範囲の図形１６Ａを机上に投影する。また、投光部１０２Ａは、測定部１０４によって測定された測定結果１７に関する情報も机上に投影する。また、投光部１０２Ａは、測定のガイダンス情報も机上に投影してもよい。ここで、測定結果１７及び測定のガイダンス情報は、本発明の「測定に関する情報」の一例である。
【００７１】
［作用・効果］
上記のような血圧計１０Ａによれば、血圧計１０Ａに、測定結果１７を表示する表示手段を設けない構成が可能となる。よって、血圧計１０Ａの構成を簡易なものとすることができる。よって、血圧計１０Ａの製造コストの削減が可能となる。
【００７２】
＜その他変形例＞
上記のような生体情報測定システムでは、ステップＳ１０３において血圧測定が終了した場合、あるいはステップＳ１０２において通信ボタン１４が押下されたと判定された場合といったように、血圧計１０がスマートフォン２０へ測定データの送信を開始する場合に、ステップＳ１０４においてＬＥＤ１１が点灯されている。しかし、ＬＥＤ１１が点灯されるタイミングは、上記の生体情報測定システム１で例示した例に限定されない。例えば、血圧計１０がスマートフォン２０へ測定データの送信を開始する前からＬＥＤ１１が点灯されていてもよい。また、血圧計１０がスマートフォン２０へ測定データを送信している間にＬＥＤ１１が消灯してもよい。
【００７３】
また、上記の生体情報測定システムでは、血圧計１０とスマートフォン２０とが同一の机上面に置かれている例が例示されているが、血圧計１０とスマートフォン２０とが同一の机上面に置かれていなくともよい。そして、血圧計１０のＬＥＤ１１によって照射される範囲１６は、血圧計１０が設けられる面に形成されていなくともよい。
【００７４】
また、投光手段はＬＥＤ１１に限られず、血圧計１０にレーザー照射モジュール等が設けられ、レーザー照射モジュール等によってスマートフォン２０の推奨される配置場所が可視化されてもよい。
【００７５】
以上で開示した実施形態はそれぞれ組み合わせる事ができる。
【００７６】
なお、以下には本発明の構成要件と実施例の構成とを対比可能とするために、本発明の構成要件を図面の符号付きで記載しておく。
＜付記１＞
超音波により外部の端末と通信する生体情報測定装置（１０、１０Ａ）であって、
測定情報を含む情報を外部の端末と通信する通信手段（１２）と、
光を照射することにより、前記外部の端末の配置すべき場所に関する情報（１６）を可視化する投光手段（１１）と、を備える、
生体情報測定装置（１０、１０Ａ）。
＜付記２＞
前記投光手段（１１）により光が照射される場所は、自装置が設置される設置面上を含む、
付記１に記載の生体情報測定装置（１０、１０Ａ）。
＜付記３＞
前記投光手段（１１）により光が照射される期間は、前記通信手段（１２）により前記外部の端末との通信を実行する通信実行前の所定期間、又は前記通信実行される期間の少なくとも一部を、少なくとも含む、
付記１又は２に記載の生体情報測定装置（１０、１０Ａ）。
＜付記４＞
前記投光手段（１１）は、前記設置面上に光を照射することにより測定に関する情報を可視化する、
付記１から３のうちの何れか一項に記載の生体情報測定装置（１０Ａ）。
＜付記５＞
超音波により生体情報測定装置（１０、１０Ａ）から測定情報を受信する受信手段（２
２）と、
前記生体情報測定装置（１０、１０Ａ）により配置すべき場所に関する情報が可視化される場合、前記配置すべき場所に配置を案内する情報と、前記配置すべき場所に配置を案内する情報に従って配置される場合に前記受信手段（２２）により受信する前記測定情報と、を表示する表示手段（２１）と、を備える、
端末（２０）。
＜付記６＞
付記１から４のうちの何れか一項に記載の生体情報測定装置（１０、１０Ａ）と、
前記生体情報測定装置（１０、１０Ａ）から前記情報を受信する受信手段（２２）と、前記受信した情報を表示する表示手段（２１）と、を有する端末（２０）と、を備え、
前記端末（２０）の前記表示手段（２１）は、前記受信手段（２２）により前記情報を受信する前に、前記生体情報測定装置（１０、１０Ａ）により配置すべき場所に関する情報が可視化される場合、前記配置すべき場所に配置を案内する情報を表示し、
前記配置すべき場所に配置を案内する情報には、前記端末（２０）が前記投光手段（１１）により可視化される前記場所に配置される場合に、前記端末（２０）が前記場所に配置される向きを指定する情報が含まれる、
生体情報測定システム（１Ａ）。
【符号の説明】
【００７７】
１、１Ａ:生体情報測定システム
１０、１０Ａ:血圧計
１１：ＬＥＤ
１２:超音波モジュール
１３:測定ボタン
１４:通信ボタン
１５:プロジェクタ
１６: ＬＥＤ１１によって照射される範囲
１６Ａ：プロジェクタ１５によって照射される図形
１７：測定結果
２０:スマートフォン
２１:タッチパネルディスプレイ
２２:マイクロフォン
１０１:通信部
１０２、１０２Ａ:投光部
１０３: 入力判定部
１０４: 測定部
２０１: 通信部
２０２: 表示部
２０３: 入力判定部
【図１】
2020156600.tif 000003
【図２】
2020156600.tif 000004
【図３】
2020156600.tif 000005
【図４】
2020156600.tif 000006
【図５】
2020156600.tif 000007
【図６】
2020156600.tif 000008
【図７】
2020156600.tif 000009